(57)【要約】【課題】  冷凍冷蔵ショーケースを提供することである。【解決手段】  本発明による冷凍冷蔵ショーケースは、ショーケースに収容された商品を照明するための第１照明手段を有し、該第１照明手段が横方向支持部材に取り付けられ、該横方向支持部材が前記ショーケースから上方に延びる縦方向支持部材によって支持されていることを特徴とする。【選択図】      図１
0003108183.tif 000002
【実用新案登録請求の範囲】
【請求項１】
冷凍冷蔵ショーケースであって、
該ショーケースに収容された商品を照明するための第１照明手段を有し、該第１照明手段が横方向支持部材に取り付けられ、該横方向支持部材が前記ショーケースから上方に延びる縦方向支持部材によって支持されていることを特徴とする、冷凍冷蔵ショーケース。
【請求項２】
前記縦方向支持部材が、その下部に、前記ショーケースに載置される脚部を有することを特徴とする、請求項１記載の冷凍冷蔵ショーケース。
【請求項３】
前記第１照明手段が前記横方向支持部材に水平軸線及び又は垂直軸線を中心に回動自在に取り付けられたことを特徴とする、請求項１又は請求項２記載の冷凍冷蔵ショーケース。
【請求項４】
前記横方向支持部材が、その長手方向に沿って形成された、板状看板を保持するための保持溝を有することを特徴とする、請求項２又は請求項３記載の冷凍冷蔵ショーケース。
【請求項５】
前記保持溝に保持された前記板状看板を照明するための第２照明手段を備えたことを特徴とする、請求項４記載の冷凍冷蔵ショーケース。
【請求項６】
前記第２照明手段が前記横方向支持部材に水平軸線及び又は垂直軸線を中心に回動自在に取り付けられたことを特徴とする、請求項５記載の冷凍冷蔵ショーケース。
【請求項７】
前記縦方向支持部材が、互いに着脱自在な少なくとも２つの部品からなることを特徴とする、請求項２乃至請求項６のいずれか一項に記載の冷凍冷蔵ショーケース。
【請求項８】
前記縦方向支持部材の上部が、前記ショーケースの前方に向かって湾曲していることを特徴とする、請求項２乃至請求項７のいずれか一項に記載の冷凍冷蔵ショーケース。
【考案の詳細な説明】
【技術分野】
【０００１】
本考案は、冷凍冷蔵ショーケースに関し、特に、冷凍冷蔵ショーケースの照明器具に関する。
【背景技術】
【０００２】
従来から、食品を冷凍、或いは、冷蔵した状態で販売等するための装置として冷凍冷蔵ショーケースが知られている。
【考案の開示】
【考案が解決しようとする課題】
【０００３】
このような冷凍冷蔵ショーケースを屋内、例えば、デパートやスーパーなどにおいて使用する場合、冷凍冷蔵ショーケースに収容された食品に照明を当てることによって、冷凍冷蔵ショーケース付近に華やかさを与えて来店客を惹きつけたり、食品を新鮮に見せるなど見栄えを良くすることができる。
しかし、冷凍冷蔵ショーケースが設置されるデパート等に備えられている照明器具は、デパート等の構造物それ自体(多くは、天井)に取り付けられた固定式であるため、冷凍冷蔵ショーケースの設置が限定されてしまい、せっかくショーケースに照明を当てても、来客を設置された冷凍冷蔵ショーケースまで導くことができないという問題があった。
また、冷凍冷蔵ショーケースを屋外で使用する場合には、そもそも冷凍冷蔵ショーケースに収容された食品を十分に照明すること自体困難であった。
【０００４】
従って、本考案は、上述した課題を解決するために考案されたものであって、設置場所如何にかかわらず収容した食品を照明することができる冷凍冷蔵ショーケースを提供することを目的とする。
【課題を解決するための手段】
【０００５】
上記目的を達成するため、本考案の冷凍冷蔵ショーケースは、該ショーケースに収容された商品を照明するための第１照明手段を有し、該第１照明手段が横方向支持部材に取り付けられ、該横方向支持部材が前記ショーケースから上方に延びる縦方向支持部材によって支持されていることを特徴とする。
【０００６】
本考案では、前記縦方向支持部材が、その下部に、前記ショーケースに載置される脚部を有するのが好ましい。
更に、前記第１照明手段が前記横方向支持部材に水平軸線及び又は垂直軸線を中心に回動自在に取り付けられるのが好ましい。
【０００７】
更にまた、前記横方向支持部材が、その長手方向に沿って形成された、板状看板を保持するための保持溝を有するのが好ましい。
また、前記保持溝に保持された前記板状看板を照明するための第２照明手段を備えるのが好ましい。
【０００８】
更に、前記第２照明手段が前記横方向支持部材に水平軸線及び又は垂直軸線を中心に回動自在に取り付けられるのが好ましい。
更にまた、前記縦方向支持部材が、互いに着脱自在な少なくとも２つの部品からなるのが好ましい。
また、前記縦方向支持部材の上部が、前記ショーケースの前方に向かって湾曲しているのが好ましい。
【考案の効果】
【０００９】
上記構成による本考案の冷凍冷蔵ショーケースでは、冷凍冷蔵ショーケースに第１照明手段が設けられているので、冷凍冷蔵ショーケースをどこに設置しようとも、これに収容した食品を照明することができる。
【考案を実施するための最良の形態】
【００１０】
以下、添付図面を参照して、本考案の一実施形態について説明する。
【００１１】
図１を参照すると、全体的に参照番号１で示された冷凍冷蔵ショーケースが示されている。この冷凍冷蔵ショーケース１は、食品等を収容し、これを冷凍及び／又は冷蔵するための冷凍冷蔵ショーケース本体２を有する。冷凍冷蔵ショーケース本体２は、従来既知の冷凍冷蔵ショーケースそのものであり、本考案の特徴を構成しないので、その構造、作動についての説明は省略する。
【００１２】
冷凍冷蔵ショーケース１はまた第１照明手段を有する。
この第１照明手段は、冷凍冷蔵ショーケース本体２の各側部フレーム３から上方に延びる縦方向支持部材、すなわち、垂直アーム４Ａ、４Ｂを有する。この実施形態では、各垂直アーム４は各側部フレーム３に固定されている。
【００１３】
各垂直アーム４は中空であり、一方の垂直アーム４Ａの中空内部には電気コード５が通っている。電気コード５の一方端部は、垂直アーム４Ａの下部に形成された開口部６を通って外部に出る。電気コード５の一方端部にはプラグ７が設けられている。プラグ７は、屋内構造物に設けられた所謂コンセントや、ポータブルバッテリのコンセントに接続される。尚、図１において、冷凍冷蔵ショーケース本体２から延びるもう１つの電気コードは、冷凍冷蔵ショーケース本体２の上方開口した収容部２０に収容された食品等商品を冷凍及び／又は冷蔵するのに必要な電力を得るのに用いられるものであり、そのプラグもまた所定のコンセントに接続される。
【００１４】
垂直アーム４Ａの上端部と垂直アーム４Ｂの上端部との間には横方向支持部材、すなわち、水平アーム８が延びる。水平アーム８もまた中空であり、水平アーム８の中空内部には電気コード５が延びる。
【００１５】
水平アーム８は、その下面に、冷凍冷蔵ショーケース本体２に収容された食品を照明するための第１照明手段、すなわち、複数の照明器具、この実施形態では、３つの照明器具９を備える。
【００１６】
各照明器具９は、水平アーム８に固定され、下方に延びるベース部１０と、ベース部１０の下端に垂直軸線を中心に回転自在に取り付けられた、２つのアームを備えた二股部１１と、二股部１１の各アームによって水平軸線を中心に回動自在に支持されたライト保持具１２と、ライト保持具１２によって保持されたライト(図示せず)とを有する。このライト(図示せず)の種類は特に限定されず、例えば、蛍光灯でも良いし、ハロゲンランプでも良い。
垂直アーム４Ａ、水平アーム８を通って延びる電気コード５は、各照明器具９のベース部１０の中を通ってライト保持具１２内に延びて、ライト(図示せず)と電気的に接続される。
【００１７】
上述した構造を有する冷凍冷蔵ショーケース１では、照明器具９の二股部１１をベース部１０に対して回転させ、ライト保持具１２を二股部１１に対して回動させることによって、冷凍冷蔵ショーケース本体２の収容部２０に収容された食品等商品を照明することができる。照明器具９を冷凍冷蔵ショーケース本体２に設けたので、冷凍冷蔵ショーケース１の設置場所が限定されることがなく、冷凍冷蔵ショーケース１をどこに設置しても収容部２０に収容された食品等商品を照明することができる。
【００１８】
図２は、変形実施形態の冷凍冷蔵ショーケース３０を示す。
この冷凍冷蔵ショーケース３０は、垂直アームの構造のみ、冷凍冷蔵ショーケース１と異なる。よって、この垂直アームを中心に以下説明することとし、その際、冷凍冷蔵ショーケース１の構成要素と同様な、冷凍冷蔵ショーケース３０の構成要素には、冷凍冷蔵ショーケース１の構成要素と同様な参照番号を以って説明し、図示する。
【００１９】
冷凍冷蔵ショーケース３０の垂直アームは参照番号３１Ａ、３１Ｂで示され、各垂直アーム３１は、冷凍冷蔵ショーケース本体２の各側部フレーム３に固定された垂直アーム部分３２と、垂直アーム部分３２と着脱自在に構成された湾曲部分３３とを有する。
【００２０】
湾曲部分３３は、全体的に円弧状に形成され、垂直アーム部分３２の開口上端部に嵌合するように寸法形状決めされた下端部(図示せず)を有する。垂直アーム３１Ａの湾曲部分３３の上端部と、垂直アーム３１Ｂの湾曲部分３３の上端部との間には水平アーム８が延びる。
【００２１】
この実施形態では、垂直アーム部分３２は冷凍冷蔵ショーケース本体２の後方部に位置決めされ、湾曲部分３３は冷凍冷蔵ショーケース本体２の前方に延びるように垂直アーム部分３２に取り付けられている。
【００２２】
図３は、変形実施形態の垂直アーム４０を示す。
既に説明した垂直アーム４、３１が冷凍冷蔵ショーケース本体２に固定されているのに対して、この実施形態における垂直アーム４０は冷凍冷蔵ショーケース本体２に固定されていないことを特徴とする。かかる垂直アーム４０を構成要素とする冷凍冷蔵ショーケースの残部の構造は、既述の冷凍冷蔵ショーケース１、３０の構造と同様である。よって、冷凍冷蔵ショーケース１の構成要素と同様な構成要素には、冷凍冷蔵ショーケース１の構成要素と同様な参照番号を以って説明し、図示する。
【００２３】
各垂直アーム４０Ａ、４０Ｂは、その下部に、図１における冷凍冷蔵ショーケース本体２の収容部２０に載置される脚部４１を有する。脚部４１は、垂直アーム４０及び水平アーム８が転倒するのを阻止することができれば、その寸法、形状は問わない。
この実施形態では、空間的に嵩張る垂直アーム４０、水平アーム８等を冷凍冷蔵ショーケース本体２と分離して運搬し、或いはまた、保管することができるという利点を有する。
【００２４】
尚、各垂直アーム４０を、図２で説明した垂直アーム３１と同様に、着脱自在な２つの部品から構成しても良い。すなわち、各垂直アーム４０は、脚部４１に固定された下方垂直アーム部分と、この下方垂直アーム部分と着脱自在に構成された上方垂直部分とからなっても良い。
【００２５】
図４は、更に別の実施形態の冷凍冷蔵ショーケースにおいて使用される垂直アーム等を示す。
この実施形態では、図３に示した垂直アーム４０と同様に、各垂直アーム５０が、その下部に、図１における冷凍冷蔵ショーケース本体２の収容部２０に載置される脚部５１を有する。
【００２６】
また、各垂直アーム５０は、図２に示した垂直アーム３１と同様に、着脱自在な２つの部品５２、５３から構成されている。すなわち、各垂直アーム５０は、脚部５１を下端に備えた垂直アーム部分５２と、垂直アーム部分５２と着脱自在に構成された湾曲部分５３とを有する。
【００２７】
この実施形態における冷凍冷蔵ショーケースは更に、水平アーム８の長手方向に沿って水平アーム８の上部に形成された、板状看板６０を保持するための保持溝(図示せず)と、この保持溝(図示せず)に保持された板状看板６０を照明するための第２照明手段を有する。
【００２８】
保持溝(図示せず)は、板状看板６０を水平方向にスライドさせて抜き差しすることができるように構成されているのが好ましい。板状看板６０には任意の文字、記号、或いはまた、模様などを描くことができる。
【００２９】
第２照明手段は、複数の照明器具、この実施形態では、２つの照明器具５４によって構成されている。
各照明器具５４は、水平アーム８に固定され、下方に延びるベース部５５と、ベース部５５の下端に水平軸線を中心に回動自在に取り付けられたライト保持具５６と、ライト保持具５６によって保持されたライト５７とを有する。ライト５７の種類は特に限定されない。
照明器具５４を水平アーム８に垂直軸線を中心に回動自在に取り付けても良い。
【００３０】
本考案は、上述した実施形態に限定されることなく以下のような種々の変更が可能である。
【００３１】
例えば、上記いずれの実施形態においても、水平アーム８は２つ(一対)の垂直アーム４、３１、４０、５０によって支持されていたけれども、１つのアームのみによって支持されても良い。
また、図４に示す板状看板６０を保持するための保持溝と、この保持溝(図示せず)に保持された板状看板６０を照明するための第２照明手段とを、図１、図２に示す、垂直アームが冷凍冷蔵ショーケース２に固定された冷凍冷蔵ショーケース１、３０に設けても良い。
【産業上の利用可能性】
【００３２】
上述した実施形態では、本考案を冷凍冷蔵ショーケースとして説明したけれども、食品以外の商品を収容、展示するショーケースに適用することもできる。
【図面の簡単な説明】
【００３３】
【図１】本考案の第１実施形態による冷凍冷蔵ショーケースの概略正面斜視図である。
【図２】本考案の第２実施形態による冷凍冷蔵ショーケースの概略正面斜視図である。
【図３】本考案の第３実施形態による冷凍冷蔵ショーケースの一部を示す概略斜視図である。
【図４】本考案の第４実施形態による冷凍冷蔵ショーケースの一部を示す概略斜視図である。
【符号の説明】
【００３４】
１  冷凍冷蔵ショーケース
４  垂直アーム(縦方向支持部材)
８  水平アーム(横方向支持部材)
９  照明器具(第１照明手段)
【図１】
0003108183.tif 000003
【図２】
0003108183.tif 000004
【図３】
0003108183.tif 000005
【図４】
0003108183.tif 000006